(57)【特許請求の範囲】
【請求項１】
温水洗浄便座におけるノズルの一部に噴出孔を備えた局部洗浄装置において、
前記噴出孔に開口し、該噴出孔の軸方向の噴出流を形成する第１の開口と、
前記噴出孔に開口し、該噴出孔の接線方向の噴出流を形成する第２の開口と、
前記ノズル内に形成され前記第１の開口に連通した第１の水路と、
前記ノズル内に形成され前記第２の開口に連通した第２の水路と、
前記第１の水路および前記第２の水路に前記第１の水路および前記第２の水路を流れる洗浄水の流量の比率を変えるための第１および第２の流量調整バルブとから成り、
前記第１の水路および前記第２の水路を流れる洗浄水の流量の比率を変えることにより、
前記第１の開口からの前記噴出孔の軸方向の直線流と前記第２の開口からの前記噴出孔の接線方向の旋回流とを干渉させて噴出させる前記噴出孔と同軸的に配設された円形チャンバーを有し、
前記軸方向の噴出流と前記接線方向の噴出流との流量割合および前記円形チャンバー内における干渉状態を変えることによって、
前記噴出孔からの洗浄水の噴出パターンの到達高さおよび広がり角を連続的に制御するようにした
ことを特徴とする局部洗浄装置。
【請求項２】
請求項１において、
前記第１および第２の流量調整バルブが、前記第１の開口に連通する幅が徐々に変化する第１のスロットと、前記第２の開口に連通する幅が徐々に変化する第２のスロットと、第１のスロットと第２のスロットに沿って移動することにより両者の連通幅を一方は増加し他方は減少するように制御する連通スロットとからなり、
前記連通スロットを移動させることにより、前記軸方向の噴出流と前記接線方向の噴出流との流量割合および円形チャンバー内における干渉状態を変えることによって、前記噴出孔からの洗浄水の噴出パターンの到達高さおよび広がり角を制御するようにした
ことを特徴とする局部洗浄装置。
【請求項３】
請求項２において、
前記第１の水路および前記第２の水路を流れる洗浄水の流量の総和を一定にした状態であって、
前記第１の水路および前記第２の水路を流れる洗浄水の流量割合を変えることにより、
前記噴出孔からの洗浄水の噴出パターンを制御するようにした
ことを特徴とする局部洗浄装置。
【請求項４】
請求項３において、
前記第１および第２の流量調整バルブが、前記第１の開口に連通する幅が徐々に変化する第１の円弧状スロットと、前記第２の開口に連通する幅が徐々に変化する第２の円弧状スロットと、第１の円弧状スロットと第２の円弧状スロットに沿って調整ツマミに連動して回転することにより両者の連通幅を一方は増加し他方は減少するように制御する連通スロットとからなり、
前記調整ツマミに応じて前記連通スロットが回転することにより、前記軸方向の噴出流と前記接線方向の噴出流との流量割合および円形チャンバー内における干渉状態を変えることによって、前記噴出孔からの洗浄水の噴出パターンの到達高さおよび広がり角を制御するようにした
ことを特徴とする局部洗浄装置。
【請求項５】
請求項３において、
前記第１の開口が、前記噴出孔の軸心部において軸方向に開口した中心開口によって構成され、
前記第２の開口が、前記噴出孔の内周壁において接線方向に開口した接線開口によって構成されている
ことを特徴とする局部洗浄装置。
【請求項６】
請求項３において、
前記接線開口が、前記噴出孔の内周壁において接線方向に開口した複数の接線開口によって構成されている
ことを特徴とする局部洗浄装置。
【請求項７】
請求項３において、
前記コントローラが、前記第１および第２の流量調整バルブの開度を一定周期で制御する制御信号を出力する
ことを特徴とする局部洗浄装置。
【請求項８】
請求項３において、
前記コントローラが、前記第１および第２の流量調整バルブの開度をランダムに制御する制御信号を出力する
ことを特徴とする局部洗浄装置。
【請求項９】
請求項３において、
前記コントローラが、  最初は前記第２の水路を流れる洗浄水の流量割合が大きい状態でスタートして、前記第１の水路および前記第２の水路を流れる洗浄水の流量割合を徐々に変えることにより、最終的に使用者によって選択された洗浄水の噴出パターンに到達する制御信号を出力する
ことを特徴とする局部洗浄装置。
【発明の詳細な説明】
【０００１】
【発明の属する技術分野】
本発明は、温水洗浄便座におけるノズルの一部に噴出孔を備えた局部洗浄装置において、第１の開口からの前記噴出孔の軸方向の噴出流と第２の開口からの前記噴出孔の接線方向の噴出流とを干渉させて噴出させる局部洗浄装置に関する。
【０００２】
【従来の技術】
従来の局部洗浄装置は、図１０に示されるように給水源から供給した洗浄水を洗浄ノズルＮの流路Ｆに導くと共に、該洗浄ノズルＮのほぼ先端部に設けた噴出部から洗浄水を局部に向けて噴出する局部洗浄装置であって、前記噴出部を人体局部のほぼ同一の洗浄対象に対応して複数配置し、前記複数の噴出部Ｏ１、Ｏ２に連通する独立した洗浄水の供給路Ｓ１、Ｓ２を前記洗浄ノズルＮの流路中に隔壁Ｋによって分割形成してなるものであった。
【０００３】
【発明が解決しようとする課題】
上記従来の局部洗浄装置は、前記噴出部を人体局部のほぼ同一の洗浄対象に対応して複数配置し、前記複数の噴出部Ｏ１、Ｏ２に連通する独立した洗浄水の供給路Ｓ１、Ｓ２を前記洗浄ノズルＮの流路中に隔壁Ｋによって分割形成してなるものであるので、噴出パターンを増やすためにはさらに噴出部を設けて前記ノズルＮ内の隔壁Ｋを増やすとともに流量調整バルブにも専用の調整水路を設ける必要があり、ノズルが大きくなるとともに流量調整バルブも多くなるとともに、制御が複雑になるという問題があった。
【０００４】
前記独立した洗浄水の供給路Ｓ１、Ｓ２に連通する前記複数の独立の噴出部Ｏ１、Ｏ２から洗浄水を噴出して噴出パターンを形成するものであるため、それぞれの独立した噴出パターンによる洗浄であり、連続した噴出パターンが得られないので、使用者の満足する洗浄が必ずしも得られないという問題があった。
【０００５】
また従来において使用者の満足する洗浄を得ようとすると、洗浄水の流量を積極的に変える必要があり、流量が低下して必要な洗浄力が得られない場合があった。
【０００６】
そこで本発明者は、温水洗浄便座におけるノズルの一部に噴出孔を備えた局部洗浄装置において、前記噴出孔に開口し該噴出孔の軸方向の噴出流を形成する第１の水路に連通する前記第１の開口からの前記噴出孔の軸方向の噴出流と、前記噴出孔に開口し該噴出孔の接線方向の噴出流を形成する第２の水路に連通する前記第２の開口からの前記噴出孔の接線方向の噴出流とを干渉させて噴出させるという本発明の技術的思想に着眼し、更に研究開発を重ねた結果、噴出パターンの変更が容易であり、ノズルの大型化を防止し、積極的に流量を変えること無く連続した異なった噴出パターンが得られるので、使用者の満足する洗浄が得られるという目的を達成する本発明に到達した。
【０００７】
【課題を解決するための手段】
本発明（請求項１に記載の第１発明）の局部洗浄装置は、
温水洗浄便座におけるノズルの一部に噴出孔を備えた局部洗浄装置において、
前記噴出孔に開口し、該噴出孔の軸方向の噴出流を形成する第１の開口と、
前記噴出孔に開口し、該噴出孔の接線方向の噴出流を形成する第２の開口と、
前記ノズル内に形成され前記第１の開口に連通した第１の水路と、
前記ノズル内に形成され前記第２の開口に連通した第２の水路と、
前記第１の水路および前記第２の水路に前記第１の水路および前記第２の水路を流れる洗浄水の流量の比率を変えるための第１および第２の流量調整バルブとから成り、
前記第１の水路および前記第２の水路を流れる洗浄水の流量の比率を変えることにより、
前記第１の開口からの前記噴出孔の軸方向の直線流と前記第２の開口からの前記噴出孔の接線方向の旋回流とを干渉させて噴出させる前記噴出孔と同軸的に配設された円形チャンバーを有し、
前記軸方向の噴出流と前記接線方向の噴出流との流量割合および前記円形チャンバー内における干渉状態を変えることによって、
前記噴出孔からの洗浄水の噴出パターンの到達高さおよび広がり角を連続的に制御するようにした
ものである。
【０００８】
本発明（請求項２に記載の第２発明）の局部洗浄装置は、
前記第１発明において、
前記第１および第２の流量調整バルブが、前記第１の開口に連通する幅が徐々に変化する第１のスロットと、前記第２の開口に連通する幅が徐々に変化する第２のスロットと、第１のスロットと第２のスロットに沿って移動することにより両者の連通幅を一方は増加し他方は減少するように制御する連通スロットとからなり、
前記連通スロットを移動させることにより、前記噴出孔からの洗浄水の噴出パターンの到達高さおよび広がり角を制御するようにした
ものである。
【０００９】
本発明（請求項３に記載の第３発明）の局部洗浄装置は、
前記第２発明において、
前記第１の水路および前記第２の水路を流れる洗浄水の流量の総和を一定にした状態であって、
前記第１の水路および前記第２の水路を流れる洗浄水の流量割合を変えることにより、
前記噴出孔からの洗浄水の噴出パターンを制御するようにした
ものである。
【００１０】
本発明（請求項４に記載の第４発明）の局部洗浄装置は、
前記第３発明において、
前記第１および第２の流量調整バルブが、前記第１の開口に連通する幅が徐々に変化する第１の円弧状スロットと、前記第２の開口に連通する幅が徐々に変化する第２の円弧状スロットと、第１の円弧状スロットと第２の円弧状スロットに沿って調整ツマミに連動して回転することにより両者の連通幅を一方は増加し他方は減少するように制御する連通スロットとからなり、
前記調整ツマミに応じて前記連通スロットが回転することにより、前記軸方向の噴出流と前記接線方向の噴出流との流量割合および円形チャンバー内における干渉状態を変えることによって、前記噴出孔からの洗浄水の噴出パターンの到達高さおよび広がり角を制御するようにした
ものである。
【００１１】
本発明（請求項５に記載の第５発明）の局部洗浄装置は、
前記第３発明において、
前記第１の開口が、前記噴出孔の軸心部において軸方向に開口した中心開口によって構成され、
前記第２の開口が、前記噴出孔の内周壁において接線方向に開口した接線開口によって構成されている
ものである。
【００１２】
本発明（請求項６に記載の第６発明）の局部洗浄装置は、
前記第３発明において、
前記接線開口が、前記噴出孔の内周壁において接線方向に開口した複数の接線開口によって構成されている
ものである。
【００１３】
本発明（請求項７に記載の第７発明）の局部洗浄装置は、
前記第３発明において、
前記コントローラが、前記第１および第２の流量調整バルブの開度を一定周期で制御する制御信号を出力する
ものである。
【００１４】
本発明（請求項８に記載の第８発明）の局部洗浄装置は、
前記第３発明において、
前記コントローラが、前記第１および第２の流量調整バルブの開度をランダムに制御する制御信号を出力する
ものである。
【００１５】
本発明（請求項９に記載の第９発明）の局部洗浄装置は、
前記第３発明において、
前記コントローラが、  最初は前記第２の水路を流れる洗浄水の流量割合が大きい状態でスタートして、前記第１の水路および前記第２の水路を流れる洗浄水の流量割合を徐々に変えることにより、最終的に使用者によって選択された洗浄水の噴出パターンに到達する制御信号を出力する
ものである。
【００１６】
【発明の作用および効果】
上記構成より成る第１発明の局部洗浄装置は、温水洗浄便座におけるノズルの一部に噴出孔を備えた局部洗浄装置において、前記第１の水路および前記第２の水路に前記第１の水路および前記第２の水路を流れる洗浄水の流量の比率を変えるための前記第１および第２の流量調整バルブによって、前記第１の水路および前記第２の水路を流れる洗浄水の流量の比率を変えることにより、前記第１の開口からの前記噴出孔の軸方向の直線流と前記第２の開口からの前記噴出孔の接線方向の旋回流とを干渉させて噴出させる前記噴出孔と同軸的に配設された円形チャンバーを有し、前記軸方向の噴出流と前記接線方向の噴出流との流量割合および前記円形チャンバー内における干渉状態を変えることによって、前記噴出孔からの洗浄水の噴出パターンの到達高さおよび広がり角を連続的に制御するので、噴出パターンの変更が容易であり、ノズルの大型化を防止し、積極的に流量を変えること無く連続した異なった噴出パターンが得られるので、使用者の満足する洗浄が得られるという効果を奏する。
【００１７】
上記構成より成る第２発明の局部洗浄装置は、前記第１発明において、前記第１の水路および前記第２の水路に配設された前記第１および第２の流量調整バルブにより、前記第１の水路および前記第２の水路を流れる洗浄水の流量の比率を変えることによって、前記軸方向の噴出流と前記接線方向の噴出流との流量比率および干渉状態を変えることにより、前記噴出孔からの洗浄水の噴出パターンを制御するので、噴出パターンの滑らかな変更を実現するとともに、変更が容易であるという効果を奏する。
【００１８】
上記構成より成る第２発明の局部洗浄装置は、前記第１発明において、前記第１の開口に連通する幅が徐々に変化する前記第１のスロットと前記第２の開口に連通する幅が徐々に変化する第２のスロットに沿って移動することにより両者の連通幅を一方は増加し他方は減少するように制御する前記第１および第２の流量調整バルブにおける前記連通スロットが移動することにより、前記噴出孔からの洗浄水の噴出パターンの到達高さおよび広がり角を制御するので、噴出パターンの滑らかな変更を実現するとともに、変更が容易であるという効果を奏する。
【００１９】
上記構成より成る第４発明の局部洗浄装置は、前記第３発明において、前記第１の開口に連通する幅が徐々に変化する第１の円弧状スロットと前記第２の開口に連通する幅が徐々に変化する第２の円弧状スロットに沿って前記第１および第２の流量調整バルブにおける前記連通スロットが調整ツマミに連動して回転することにより、両者の連通幅を一方は増加し他方は減少するように制御するため、前記軸方向の噴出流と前記接線方向の噴出流との流量割合および円形チャンバー内における干渉状態を変えることによって、前記噴出孔からの洗浄水の噴出パターンの到達高さおよび広がり角を制御するので、前記調整ツマミに応じて噴出パターンの滑らかな変更を実現するとともに、変更が容易であるという効果を奏する。
【００２０】
上記構成より成る第５発明の局部洗浄装置は、前記第３発明において、前記第１の開口を構成する前記噴出孔の軸心部において軸方向に開口した前記中心開口による軸方向の洗浄水の噴出流と、前記第２の開口を構成する前記噴出孔の内周壁において接線方向に開口した接線開口による接線方向の洗浄水の噴出流とを干渉させて噴出させるので、連続した異なった噴出パターンを可能にするとともに、使用者の満足する洗浄が得られるという効果を奏する。
【００２１】
上記構成より成る第６発明の局部洗浄装置は、前記第３発明において、前記接線開口が、前記噴出孔の内周壁において接線方向に開口した複数の接線開口によって構成されているので、前記複数の接線開口による接線方向の安定な洗浄水の噴出流により、噴出された前記噴出パターンにおける安定な旋回速度成分を実現して、局部の洗浄効果を実現する可能性があるという効果を奏する。
【００２２】
上記構成より成る第７発明の局部洗浄装置は、前記第３発明において、前記コントローラが、前記第１および第２の流量調整バルブの開度を一定周期で制御する制御信号を出力するので、前記軸方向の噴出流と前記接線方向の噴出流との流量割合および干渉状態を一定周期で変えることによって、洗浄水の総和流量を変えないで前記噴出孔からの洗浄水の噴出パターンの一定周期による制御を可能にするという効果を奏する。
【００２３】
上記構成より成る第８発明の局部洗浄装置は、前記第３発明において、前記コントローラが、前記第１および第２の流量調整バルブの開度をランダムに制御する制御信号を出力するので、前記軸方向の噴出流と前記接線方向の噴出流との流量割合および干渉状態をランダムに変えることによって、洗浄水の総和流量を変えないで前記噴出孔からの洗浄水の噴出パターンをランダムに制御することを可能にするという効果を奏する。
【００２４】
上記構成より成る第９発明の局部洗浄装置は、前記第３発明において、前記コントローラが、最初は前記第２の水路を流れる洗浄水の流量割合が大きい状態でスタートして、前記第１の水路および前記第２の水路を流れる洗浄水の流量割合を徐々に変えることにより、最終的に使用者によって選択された洗浄水の噴出パターンに到達する制御信号を出力するものであるので、選択された洗浄水の噴出パターンに関係無くソフトスタートを実現するという効果を奏する。
【００２５】
【発明の実施の形態】
以下本発明の実施の形態につき、図面を用いて説明する。
【００２６】
（実施形態）
本実施形態の局部洗浄装置は、図１ないし図４に示されるように温水洗浄便座１０におけるノズル１の一部に噴出孔１１を備えた局部洗浄装置において、前記噴出孔１１に開口し、該噴出孔１１の軸方向の噴出流を形成する第１の開口１２と、前記噴出孔１１に開口し、該噴出孔１１の接線方向の噴出流を形成する第２の開口１３と、前記ノズル１内に形成され前記第１の開口１２に連通した第１の水路１４と、前記ノズル１内に形成され前記第２の開口１３に連通した第２の水路１５と、から成り、前記第１の開口１２からの前記噴出孔１１の軸方向の噴出流と前記第２の開口１３からの前記噴出孔１１の接線方向の噴出流とを干渉させて噴出させるように構成されているものである。
【００２７】
前記温水洗浄便座１０は、図４に示されるようにタンク１０１の前方に配置された便座１０２と、前記便座１０２の上部一端に開閉自在に配置されたカバー１０３と、前記便座１０２の楕円形開口の後方から前方に突出して局部に洗浄水を噴出する前記噴出孔１１が先端に形成されたノズル１と、前記便座１０２の右横の温水タンク１０４の上部に配設されたコントロール部１０５とを備えている。
【００２８】
前記ノズル１は、図１ないし図３に示されるようにシリンダ１０６から当接ゴムシール１０７の協働により進退自在に突設され、前記ノズル１内に形成され前記第１の開口１２に連通した第１の水路１４および前記ノズル１内に形成され前記第２の開口１３に連通した第２の水路１５が形成されている。
【００２９】
前記ノズル１の先端部には前記噴孔１１が上下方向に形成され、該噴孔１１と同軸的に前記噴孔１１の内径より大きな内径の円形チャンバー１１０が形成されている。
【００３０】
前記円形チャンバー１１０に前記噴出孔１１の軸方向の噴出流を形成する１個の前記第１の開口１２が開口するとともに、前記円形チャンバー１１０に前記噴出孔１１の接線方向の噴出流を形成する複数の前記第２の開口１３が開口しているのである。
【００３１】
すなわち前記複数の第２の開口１３は、図３に示されるように例えば９０度毎に前記円形チャンバー１１０の内周壁に接線的に開口している４個の接線開口によって構成され、前記円形チャンバー１１０内に旋回流を形成する。
【００３２】
前記第１の水路１４および前記第２の水路１５は、第１および第２の流量調整バルブ２１、２２に連通しており、前記第１の水路１４および前記第２の水路１５を流れる洗浄水の流量の総和を一定にした状態において、前記第１の水路１４および前記第２の水路１５を流れる洗浄水の流量割合を変えることにより、前記軸方向の噴出流と前記接線方向の噴出流との流量比率および干渉状態を変えることによって、図５および図６に示されるように前記噴出孔１１からの洗浄水の噴出パターンの到達高さ（洗浄荷重、強さ）および洗浄面積を制御するように構成されている。
【００３３】
前記第１および第２の流量調整バルブ２１、２２は、コントローラ３に接続され、該コントローラ３から出力される前記第１および第２の流量調整バルブ２１、２２の開度を制御する制御信号に基づき、前記第１および第２の流量調整バルブの開度を制御することにより、前記軸方向の噴出流と前記接線方向の噴出流との流量割合および干渉状態を変えることによって、前記噴出孔１１からの洗浄水の噴出パターンを制御するように構成されている。
【００３４】
前記コントローラ３は、前記便座１０２の右横の温水タンク１０４の上部に配設された前記コントロール部１０５に配設された調整ツマミ４によって、前記第１の水路および前記第２の水路を流れる洗浄水の流量の総和を一定にした状態において、任意に調整されるように構成されている。
【００３５】
すなわち前記調整ツマミ４が、図７（Ａ）に示されるように使用者によって「弱」の位置に設定されると前記流量調整バルブの連通スロット２３が、前記第１の水路１４を介して軸方向の噴出流を形成する第１の開口１２に連通する第１の円弧状スロット２１１の最も幅の狭い部分と、前記第２の水路１５を介して接線方向の噴出流を形成する第２の開口１３に連通する第２の円弧状スロット２２１の最も幅の広い部分とが洗浄水供給手段（図示せず）に連通して図８に示されるような接線成分の大きな最も広角の洗浄水の噴出パターンが形成される。
【００３６】
前記調整ツマミ４が、図７（Ｂ）に示されるように使用者によって「中間」の位置に設定されると前記流量調整バルブの連通スロット２３が、前記第１の水路１４を介して軸方向の噴出流を形成する第１の開口１２に連通する第１の円弧状スロット２１１の幅の中間部分と、前記第２の水路１５を介して接線方向の噴出流を形成する第２の開口１３に連通する第２の円弧状スロット２２１の幅の中間部分とが洗浄水供給手段（図示せず）に連通して中間の広がり角の洗浄水の噴出パターンが形成される。
【００３７】
前記調整ツマミ４が、図７（Ｃ）に示されるように使用者によって「強」の位置に設定されると前記流量調整バルブの連通スロット２３が、前記第１の水路１４を介して軸方向の噴出流を形成する第１の開口１２に連通する第１の円弧状スロット２１１の最も幅の広い部分と、前記第２の水路１５を介して接線方向の噴出流を形成する第２の開口１３に連通する第２の円弧状スロット２２１の最も幅の狭い部分とが洗浄水供給手段（図示せず）に連通して洗浄水の広がり角が最も狭い直線状の噴出パターンが形成される。
【００３８】
本実施形態の局部洗浄装置は、温水洗浄便座における前記ノズル１の一部に前記噴出孔１１を備えた局部洗浄装置において、前記噴出孔１１に開口し該噴出孔１１の軸方向の噴出流を形成する第１の水路１４に連通する前記第１の開口１２からの前記軸方向の噴出流と、前記噴出孔１１に開口し該噴出孔１１の接線方向の噴出流を形成する第２の水路１５に連通する前記第２の開口１３からの前記接線方向の噴出流とを干渉させて噴出させる。
【００３９】
本実施形態の局部洗浄装置は、前記噴出孔１１に開口する前記第１の開口１２および前記第２の開口１３からの前記軸方向の直線流と前記接線方向の旋回流とを干渉させて噴出させるので、連続した一様な噴出パターンが得られるので、広い範囲に亘る均一な洗浄が得られ、使用者の満足する洗浄が得られるという効果を奏する。
【００４０】
すなわち無段階の噴出パターンを実現して調整範囲が広いとともに、従来のようにノズル１の外部における水流干渉ではないため、ねらった範囲外への洗浄水の飛沫（濡れ）が少なく、しかも前記噴出孔１１は１個のみでよく、従来のように多数の孔は不要であるため汚物の跳ね返りによる汚れ付着が少ないという利点を有する。
【００４１】
また本実施形態の局部洗浄装置は、前記第１の水路１４および前記第２の水路１５に配設された前記第１および第２の流量調整バルブ２１、２２により、前記第１の水路１４および前記第２の水路１５を流れる洗浄水の流量の比率を変えることによって、前記軸方向の直線流と前記接線方向の旋回流との流量比率および干渉状態を変えることにより、前記噴出孔１１からの洗浄水の噴出パターンを制御するので、噴出パターンの変更が容易であるという効果を奏する。
【００４２】
さらに本実施形態の局部洗浄装置は、前記第１の水路１４および前記第２の水路１５を流れる洗浄水の流量の総和を一定にした状態であって、前記第１の水路１４および前記第２の水路１５を流れる洗浄水の流量割合を変えることにより、前記噴出孔１１からの洗浄水の噴出パターンを制御するので、図９に示されるように洗浄水の総和流量を変えないで洗浄力を維持した状態において前記噴出パターンの到達高さ（洗浄強さ）および洗浄面積を変えることが出来るという効果を奏する。
【００４３】
また本実施形態の局部洗浄装置は、上述したように洗浄水が乱流で直線に噴出する強い洗浄と、洗浄水が霧状で円錐状に噴出するやわらかな洗浄とを同時に備えており、かつ同一の穴である前記噴出孔１１から噴出する構造からなるので、強い洗浄を可能にする直線的流れと、やわらかな洗浄を可能にする旋回流とを同時噴出して干渉させ、その流量比を変化させることで、強い洗浄と、やわらかな洗浄の中間をリニアに変化させることが出来るようにしたものである。
【００４４】
すなわちメカ機構を必要としないため構造が簡単であり低コストを実現するとともに故障が少ないとともに、前記第１の水路１４および前記第１の開口１２を介して供給された直線状の流れが前記噴出孔１１より直線的に局部に向かって噴出させるとともに、第２の水路１５および前記第２の開口１３を介して供給された旋回流によって両者を干渉させて洗浄水を乱すことにより、乱流となり、より強い洗浄を可能にするものである。
【００４５】
また前記第２の水路１５は、前記噴出孔１１が上述したような構造を備えており、噴出直前で渦の様に回転し、噴出口から出る洗浄水は霧状でかつ円錐状に噴出するため、局部に対してやわらかな洗浄を可能にするとともに、上記やわらかな洗浄の状態において、前記第１の水路１４の流量を増やしていくと、前記第２の水路１５からの噴出は前記第１の水路１４の噴出にひっぱられて徐々に直線的になってゆき、この状態で第２の水路１５の流量を減らしてゆけば徐々に上述した乱流の強い洗浄となるため、これにより使用者の好みの強さが自由に選択することが出来るものである。
【００４６】
上述の実施形態は、説明のために例示したもので、本発明としてはそれらに限定されるものでは無く、特許請求の範囲、発明の詳細な説明および図面の記載から当業者が認識することができる本発明の技術的思想に反しない限り、変更および付加が可能である。
【図面の簡単な説明】
【図１】本発明の実施形態の局部洗浄装置の要部を示す断面図である。
【図２】本実施形態におけるノズル先端部を示す拡大断面図である。
【図３】本実施形態におけるノズルの第２の開口の形成形態を示す部分拡大断面図である。
【図４】本実施形態の局部洗浄装置が適用された温水洗浄便座を示す斜視図である。
【図５】本実施形態における噴出パターンの洗浄荷重と洗浄面積との関係を示す線図である。
【図６】本実施形態における強および弱の噴出パターンの３次元イメージを示す線図である。
【図７】本実施形態における調整ツマミの位置、流量調整バルブの各スロットの連通関係および噴出パターンの関係を説明するための説明図である。
【図８】本実施形態における広角の噴出パターンの流れの様子を模式的に示した斜視図である。
【図９】本実施形態および従来における洗浄水の流量と洗浄強さとの関係を示す線図である。
【図１０】従来の局部洗浄装置のノズル先端部を示す拡大断面図である。
【符号の説明】
１  ノズル
１０  温水洗浄便座
１１  噴出孔
１２  第１の開口
１３  第２の開口
１４  第１の水路
１５  第２の水路
【図１】
0004178353.tif 000002
【図２】
0004178353.tif 000003
【図３】
0004178353.tif 000004
【図４】
0004178353.tif 000005
【図５】
0004178353.tif 000006
【図６】
0004178353.tif 000007
【図７】
0004178353.tif 000008
【図８】
0004178353.tif 000009
【図９】
0004178353.tif 000010
【図１０】
0004178353.tif 000011